(57)【要約】【課題】分離作業が容易なコネクタ装置を提供する。【解決手段】第１コネクタ１００は第２コネクタ２００に対向するロック部１５０を備える。このロック部１５０に、第２コネクタ２００に向けて突き出す凸部１５１が形成される。第２コネクタ２００は上面２４０に傾斜面２４３を備える。凸部１５１の側面１５１ａは傾斜面となっており、第２コネクタ２００の傾斜面２４３と係合する。凸部１５１の側面１５１ｂも傾斜面となっている。また、係合解除部材３００と保持部材４００とを備える。係合解除部材３００は、第１コネクタ１００のロック部１５０と第２コネクタ２００との間に配置される係合解除部３１０と、係合解除部３１０に対して上側に突き出している操作部３２０とを備え、第１コネクタ１００が第２コネクタ２００から離れる方向に移動することで、先端面３１１が凸部１５１を押す。【選択図】図５
2015064976.tif 000002
【特許請求の範囲】
【請求項１】
第１の電気部品（１１、１２、１３）に取り付けられた第１コネクタ（１００）と、
第２の電気部品（２０）に取り付けられ、前記第１コネクタと嵌合する第２コネクタとを備えたコネクタ装置（１）であって、
前記第１コネクタは、
前記第２コネクタと嵌合する嵌合部（１２０）と、
前記第１コネクタと前記第２コネクタとが嵌合した状態で、前記第２コネクタから離れてその第２コネクタに対向する対向部（１５０）と、
その対向部の前記第２コネクタに対向する対向面（１５２）から突き出し、前記対向部の基部側および前記対向部の先端側にそれぞれ側面（１５１ａ、１５１ｂ）が形成された凸部（１５１）と、を備え、
前記第２コネクタは、前記第１コネクタの対向部に対向する面（２４０）に、前記第１コネクタと前記第２コネクタとが嵌合した状態において、前記第２コネクタの先端側ほど、前記第１コネクタの対向部に近づく傾斜面（２４３）を備え、
前記凸部の対向部基部側の側面（１５１ａ）は、前記対向部基部側ほど前記対向面に近づく傾斜面となっており、前記第１コネクタと前記第２コネクタとが嵌合した状態において、前記第２コネクタの前記傾斜面と係合し、
前記第１コネクタの対向部と前記第２コネクタとの間に配置され、先端面（３１１）が前記凸部の対向部先端側の側面に対向している係合解除部（３１０）と、その係合解除部と一体的に構成され、その係合解除部に対して前記第２コネクタとは反対側に突き出している操作部（３２０）とを有し、前記先端面が前記凸部に当接する方向に移動することで、前記先端面が前記凸部を押す係合解除部材（３００）と、
前記第２の電気部品に固定され、前記係合解除部材を、前記第１コネクタと前記第２コネクタとが嵌合および分離する方向に移動可能に保持する保持部材（４００）と、を備え、
前記凸部の対向部先端側の側面（１５１ｂ）、および、その側面に対向している前記係合解除部材の係合解除部の先端面の少なくとも一方は、前記対向面側ほど前記対向部の先端に近づく傾斜面になっていることを特徴とするコネクタ装置。
【請求項２】
請求項１において、
前記係合解除部材は、前記第１コネクタと前記第２コネクタとが嵌合および分離する方向に沿って形成された解除部側ガイド（３３２ａ、３３４ａ）を備え、
前記保持部材は、前記第１コネクタと前記第２コネクタとが嵌合および分離する方向に沿って形成され、前記係合解除部材がこの保持部材に対して前記第１コネクタと前記第２コネクタとが嵌合および分離する方向に相対移動可能に、前記解除部側ガイドと係合する保持部側ガイド（４６１、４７１）を備えることを特徴とするコネクタ装置。
【請求項３】
請求項１または２において、
前記係合解除部材および前記保持部材のいずれか一方に形成された嵌合突起（３３３ａ）と、
前記係合解除部材および前記保持部材の他方に形成され、前記嵌合突起と嵌合することにより、前記係合解除部材の係合解除部が前記第１コネクタの前記凸部に接触しない位置に、前記係合解除部材を位置決めする第１嵌合凹部（４１１）と、
を備えることを特徴とするコネクタ装置。
【請求項４】
請求項３において、
前記係合解除部材および前記保持部材のうち前記第１嵌合凹部を備えた側の部材に形成され、前記嵌合突起と嵌合することにより、前記係合解除部材の係合解除部の先端が前記第１コネクタの前記凸部を押し上げる位置に、前記係合解除部材を位置決めする第２嵌合凹部（４１２）を備えることを特徴とするコネクタ装置。
【発明の詳細な説明】
【技術分野】
【０００１】
本発明は、一つの電気部品と他の電気部品とを電気的に接続するコネクタ装置に関し、特に、コネクタのロックを解除する技術に関する。
【背景技術】
【０００２】
一つの電気部品と他の電気部品とを電気的に接続する一対のコネクタが知られている。なお、本明細書での電気部品は、電気で作動する部品を意味しており、電子部品と呼ばれる部品も含む意味である。
【０００３】
特許文献１では、電子機器と電池パックとが、それら電子機器と電池パックにそれぞれ取り付けられた一対のコネクタにより電気的に接続される。電池パックは交換の必要があるため、一対のコネクタは分離可能に構成される必要がある。
【先行技術文献】
【特許文献】
【０００４】
【特許文献１】特開２０１１−９１３号公報
【発明の概要】
【発明が解決しようとする課題】
【０００５】
分離可能に構成された一対のコネクタは、通常時に一方のコネクタが他方のコネクタから抜けないようにするため、ロック構造を備える。ロック構造は、一方のコネクタに凸部が形成され、他方のコネクタに凸部と係合する係合面が形成された構造である。
【０００６】
このロック構造として、強ロック構造とフリクションロック構造とが知られている。強ロック構造は、一方のコネクタを引き抜くときに互いに係合する凸部の側面と係合面が、引き抜き方向に対して垂直（もしくはほぼ垂直）になっている構造である。一方、フリクションロック構造は、コネクタを引き抜くときに互いに係合する凸部の側面と係合面が、引き抜き方向に対して傾斜した傾斜面となっている構造である。
【０００７】
強ロック構造は、凸部付近にその凸部と一体となったロックリリースレバーを備えており、ロックリリースレバーを押し下げることで、凸部と係合面との係合が解除される。そして、この状態で凸部を備えたコネクタを引き抜くと、一対のコネクタを分離することができる。
【０００８】
これに対して、フリクションロック構造は、ロックリリースレバーは備えず、凸部に形成された傾斜面を、他方のコネクタの傾斜面となっている係合面に沿って移動させることで、凸部と係合面との係合を解除する。フリクションロック構造は、ロックリリースレバーを必要としないため、強ロック構造よりも配置スペースの制約が少ない。そのため、小型コネクタを狭い場所に収容する場合など、配置スペースに制約がある場合に、フリクションロック構造のコネクタが採用されることが多い。
【０００９】
しかし、フリクションロック構造であっても、通常時に、一対のコネクタが互いに分離してしまわないロック強度を備える。例えば、自動車などに用いるフリクションロックコネクタは、車両振動などの外力によって抜けないよう、強い保持力をそなえる。そのため、単にコネクタを分離する方向に引き抜くだけでは、一対のコネクタを分離することは困難であり、作業者がコネクタの凸部を備えた部分を持ち上げる必要がある。
【００１０】
その場合、一対のコネクタを分離する際には、たとえば、凸部を備えた部分を精密ドライバーなどで持ち上げつつ、その凸部を備えたコネクタを引き抜く作業を行うことになり、コネクタ分離作業の作業性が悪い。
【００１１】
本発明は、この事情に基づいて成されたものであり、その目的とするところは、分離作業が容易なコネクタ装置を提供することにある。
【課題を解決するための手段】
【００１２】
上記目的は独立請求項に記載の特徴の組み合わせにより達成され、また、下位請求項は、発明の更なる有利な具体例を規定する。
【００１３】
上記目的を達成するための本発明は、第１の電気部品（１１、１２、１３）に取り付けられた第１コネクタ（１００）と、第２の電気部品（２０）に取り付けられ、第１コネクタと嵌合する第２コネクタとを備えたコネクタ装置（１）であって、第１コネクタは、第２コネクタと嵌合する嵌合部（１２０）と、第１コネクタと第２コネクタとが嵌合した状態で、第２コネクタから離れてその第２コネクタに対向する対向部（１５０）と、その対向部の第２コネクタに対向する対向面（１５２）から突き出し、対向部の基部側および対向部の先端側にそれぞれ側面（１５１ａ、１５１ｂ）が形成された凸部（１５１）と、を備え、第２コネクタは、第１コネクタの対向部に対向する面（２４０）に、第１コネクタと第２コネクタとが嵌合した状態において、第２コネクタの先端側ほど、第１コネクタの対向部に近づく傾斜面（２４３）を備え、凸部の対向部基部側の側面（１５１ａ）は、対向部基部側ほど対向面に近づく傾斜面となっており、第１コネクタと第２コネクタとが嵌合した状態において、第２コネクタの傾斜面と係合し、第１コネクタの対向部と第２コネクタとの間に配置され、先端面（３１１）が凸部の対向部先端側の側面に対向している係合解除部（３１０）と、その係合解除部と一体的に構成され、その係合解除部に対して第２コネクタとは反対側に突き出している操作部（３２０）とを有し、先端面が凸部に当接する方向に移動することで、先端面が凸部を押す係合解除部材（３００）と、第２の電気部品に固定され、係合解除部材を、第１コネクタと第２コネクタとが嵌合および分離する方向に移動可能に保持する保持部材（４００）と、を備え、凸部の対向部先端側の側面（１５１ｂ）、および、その側面に対向している係合解除部材の係合解除部の先端面の少なくとも一方は、対向面側ほど対向部先端に近づく傾斜面になっていることを特徴とする。
【００１４】
この発明によれば、係合解除部材の操作部を操作すると、係合解除部材の係合解除部は凸部の方向へ移動する。そして、係合解除部の先端面は、凸部の対向部先端側の側面を押すことになる。凸部の対向部先端側の側面、および、その側面に対向している係合解除部材の係合解除部の先端面の少なくとも一方は、対向面側ほど対向部先端に近づく傾斜面となっている。そのため、係合解除部の先端面が凸部の対向部先端側の側面を押すことにより、凸部は、その凸部の対向部基部側の側面が第２コネクタの傾斜面から離れる方向に移動させられる。よって、操作部を操作することで、第１コネクタの凸部と第２コネクタの傾斜面との係合を解除することができる。
【００１５】
この操作部は係合解除部に対して第２コネクタと反対側に突き出していることから、作業者がこの操作部を操作することは容易である。その操作部を操作することで、第１コネクタの凸部と第２コネクタの傾斜面との係合を解除することができるので、容易に第１コネクタを第２コネクタから引き抜くことができる、すなわち、容易に一対のコネクタの分離作業を行うことができる。
【００１６】
なお、特許請求の範囲に記載した括弧内の符号は、一つの態様として後述する実施形態に記載の具体的手段との対応関係を示すものであって、本発明の技術的範囲を限定するものではない。
【図面の簡単な説明】
【００１７】
【図１】本発明の実施形態となるコネクタ装置１の斜視図である。
【図２】コネクタ装置１の上面図である。
【図３】ロック部１５０の部分拡大図である。
【図４】第１コネクタ１００と第２コネクタ２００とが嵌合した状態におけるコネクタ装置１の斜視図である。
【図５】図４のＶ−Ｖ線断面図である。
【図６】係合解除部材３００の斜視図である。
【図７】保持部材４００の斜視図である。
【図８】係合解除部材３００と保持部材４００とが組み合わせられた状態を示す斜視図である。
【図９】係合解除部材３００と保持部材４００とが組み合わせられた状態を示す正面図である。
【発明を実施するための形態】
【００１８】
以下、本発明の実施形態を図面に基づいて説明する。図１、２は、本発明の実施形態となるコネクタ装置１の第１コネクタ１００と第２コネクタ２００とが嵌合する前の状態であり、図１は斜視図、図２は上面図である。
【００１９】
コネクタ装置１は、第１コネクタ１００、第２コネクタ２００の他に、係合解除部材３００、保持部材４００を備える。
【００２０】
（第１コネクタ１００の構成）
第１コネクタ１００には、中継ワイヤ１１、１２、１３が接続されている。これら中継ワイヤ１１、１２、１３が第１の電気部品に相当する。この中継ワイヤ１１、１２、１３により図示しない電気部品と電気的に接続されている。
【００２１】
第１コネクタ１００は、基部１１０、嵌合部１２０、一対の側方ガイド部１３０、１４０、ロック部１５０を備える。また、図５に示す下ガイド部１６０も備える。
【００２２】
基部１１０には中継ワイヤ１１、１２、１３が接続される。基部１１０の中継ワイヤ１１、１２、１３が接続されている側とは反対側の端は、中継ワイヤ１１、１２、１３が接続されている側の端よりも拡径されている。この拡径された部分に、一対の側方ガイド部１３０、１４０、ロック部１５０、下ガイド部１６０の端部が連結されている。
【００２３】
嵌合部１２０は直方体形状であり、基部１１０と連結している。この嵌合部１２０は、第２コネクタ２００の嵌合部２１０に嵌め入れられる。
【００２４】
一対の側方ガイド部１３０、１４０は、嵌合部１２０と間隔を隔てて、嵌合部１２０の側面と平行に配置されており、矩形平板形状になっている。
【００２５】
下ガイド部１６０は、嵌合部１２０と間隔を隔てて、嵌合部１２０の下面と平行に配置されており、矩形平板形状になっている。側方ガイド部１３０、１４０、および下ガイド部１６０は、第１コネクタ１００が第２コネクタ２００と嵌合する際に、嵌合部１２０の移動方向を規制する。
【００２６】
ロック部１５０は請求項の対向部に相当し、嵌合部１２０と間隔を隔てて、嵌合部１２０の上面と平行に配置されており、矩形平板形状になっている。このロック部１５０は、第１コネクタ１００と第２コネクタ２００とが嵌合した状態では、図５に示すように、第２コネクタ２００の上面２４０から離れて、その上面２４０と平行に対向する。
【００２７】
凸部１５１は、ロック部１５０の下面１５２（請求項の対向面に相当）の第１コネクタ１００の移動方向における中央部に形成されている。この凸部１５１は、ロック部１５０の幅方向、すなわち、コネクタ１００の移動方向と直交する方向に延びる形状であり、長さはロック部１５０の幅方向長さと同一である。
【００２８】
また、凸部１５１は、図３の拡大図に示すように、ロック部１５０の基部側の側面１５１ａ、ロック部１５０の先端側の側面１５１ｂがいずれも傾斜面となっている。詳しくは、側面１５１ａは、下面１５２側ほど（すなわち図３の上側ほど）ロック部１５０の基部に近づく傾斜面である。他方の側面１５１ｂは、下面１５２側ほど（すなわち図３の上側ほど）ロック部１５０の先端に近づく傾斜面である。
【００２９】
（第２コネクタ２００の構成）
第２コネクタ２００は、複数の電気部品が一体化されたユニット２０に固定されている。このユニットが第２の電気部品に相当する。ユニット２０にはコネクタ保持部２１が形成されており、このコネクタ保持部２１に第２コネクタ２００は固定される。
【００３０】
この第２コネクタ２００は、嵌合部２１０、一対の梁部２２０、２３０を備える。嵌合部２１０は、直方体形状であり、第１コネクタ１００の嵌合部１２０が嵌め入れられる。
【００３１】
一対の梁部２２０、２３０は、嵌合部２１０の上面２４０（すなわち、ユニット２０側の面とは反対側の面）の幅方向両端に、互いに平行にそれぞれ形成される。一対の梁部２２０、２３０の間の距離は、第１コネクタ１００のロック部１５０の幅方向長さよりも長くなっている。
【００３２】
また、第１コネクタ１００の一対の側方ガイド部１３０、１４０の間の距離は、第２コネクタ２００の幅方向の長さよりもやや長い程度となっている。
また、ロック部１５０と下ガイド部１６０の間の距離は、第２コネクタ２００の上面と下面との距離よりもやや長い程度となっている。よって、第１コネクタ１００が第２コネクタ２００に差し込まれる際には、第１コネクタ１００の嵌合部１２０の姿勢が、これら側方ガイド部１３０、１４０、ロック部１５０、下ガイド部１６０により、第２コネクタ２００の嵌合部２１０と嵌合できる姿勢に保持される。
【００３３】
第２コネクタ２００の上面２４０は、先端面２４１、主上面２４２、傾斜面２４３を備える。先端面２４１は、上面２４０のうちの第２コネクタ２００の先端側を構成する矩形平面である。主上面２４２は、上面２４０のうちの傾斜面２４３よりも、第２コネクタ２００の基部側を構成し、また、先端面２４１よりも高さが低くなっている矩形平面である。
【００３４】
傾斜面２４３は、先端面２４１と主上面２４２とを連結する細長い矩形平面である。第１コネクタ１００と第２コネクタ２００とが嵌合した状態では、第１コネクタ１００のロック部１５０が傾斜面２４３の上方に位置する。よって、第１コネクタ１００と第２コネクタ２００とが嵌合した状態では、傾斜面２４３は、第２コネクタ２００の先端側ほど、第１コネクタ１００のロック部１５０に近づくことになる。
【００３５】
（嵌合状態の説明）
図４に示すように、第１コネクタ１００と第２コネクタ２００とが嵌合した状態では、第１コネクタ１００のロック部１５０は、第２コネクタ２００の一対の梁部２２０、２３０の間に位置する。また、第１コネクタ１００の一対の側方ガイド部１３０、１４０は、コネクタ保持部２１と第２コネクタ２００との間に位置する。
【００３６】
（係合解除部材３００の構成）
係合解除部材３００は、図１、２に示す係合解除部３１０、操作部３２０を備える。係合解除部３１０は、第２コネクタ２００の上面２４０に配置されている平板形状である。操作部３２０は、係合解除部３１０と一体的に形成され、係合解除部３１０から、その係合解除部３１０の垂直方向に突き出しており、その上端は、保持部材４００の上面よりも上となっている。
【００３７】
図６を用いて係合解除部材３００を詳しく説明する。係合解除部３１０は、平板矩形形状であり、先端面３１１は傾斜面となっている。先端面３１１の傾斜は、ロック部１５０の先端側の側面１５１ｂの傾斜とほぼ同じ角度であり、上側（操作部３２０が突き出している側）に向かうに従い、係合解除部材３００の基部側へ傾斜する。また、係合解除部３１０の基端には、移動規制部３３０が連結している。
【００３８】
操作部３２０も矩形板状体であり、係合解除部３１０の長手方向の中央よりもやや基端寄りに、その係合解除部３１０の幅と同じ幅で、係合解除部３１０から垂直に突き出している。
【００３９】
移動規制部３３０は、第１コネクタ１００の抜き差し方向、および、その抜き差し方向と交差する方向における係合解除部材３００の位置を規制する。
【００４０】
この移動規制部３３０は、ベース板部３３１から３本の突条部３３２、３３３、３３４が突き出した構成を有する。これら３本の突条部３３２、３３３、３３４は、互いに平行であり、また、互いに同じ長さおよび同じ幅である。
【００４１】
突条部３３２は、ベース板部３３１に、係合解除部３１０の長手方向の端に沿って配置される。また、突条部３３４は、ベース板部３３１の突条部３３２が配置された側とは反対側の端において、係合解除部３１０の長手方向の端に沿って配置される。突条部３３３は、それら２つの突条部３３２、３３４の中間に配置される。
【００４２】
突条部３３２には、外側の側面、すなわち、突条部３３２、３３３、３３４の配列方向の外側の側面にレール部３３２ａが形成されている。また、ベース板部３３１の反対側の端に配置された突条部３３４にも、外側の側面にレール部３３４ａ（図８参照）が形成されている。これらレール部３３２ａ、３３４ａは請求項の解除部側ガイドに相当する。このレール部３３２ａ、３３４ａは、係合解除部３１０と平行に形成されている。
【００４３】
また、中央の突条部３３３には、その長手方向中央に、上方に（すなわちベース板部３３１とは反対方向に）突き出す嵌合突起３３３ａが形成されている。この嵌合突起３３３ａは、突条部３３３の側面視において二等辺三角形状である。
【００４４】
（保持部材４００の構成）
保持部材４００は、ユニット２０に固定されている。図７を用いて保持部材４００の形状を詳しく説明する。保持部材４００は、基板部４１０と、１対の大取付部４２０、４３０と、１対の小取付部４４０、４５０と、１対のガイド部４６０、４７０と、受板部４８０を備える。
【００４５】
基板部４１０は矩形板状体であり、長手方向が第１コネクタ１００、第２コネクタ２００の幅方向となる。大取付部４２０、４３０、小取付部４４０、４５０、ガイド部４６０、４７０、受板部４８０は、基板部４１０からその基板部４１０に対して垂直に突き出している。
【００４６】
大取付部４２０、４３０は、ユニット２０の図示しない取り付け構造と係合する。小取付部４４０、４５０は、大きさは大取付部４２０、４３０よりも小さく、大取付部４２０、４３０よりも基板部４１０の長手方向外側に位置する。この小取付部４４０、４５０も、ユニット２０の図示しない取り付け構造と係合する。
【００４７】
ガイド部４６０、４７０は、大取付部４２０、４３０の間に配置されている。１対のガイド部４６０、４７０は、いずれも条形状であって、互いに平行に配置されている。また、それらの間隔は、係合解除部材３００に形成された１対の突条部３３２、３３４の外側面の間の長さよりもわずかに長い長さとなっている。
【００４８】
このガイド部４６０、４７０には、内側、すなわち、他方のガイド部４６０、４７０と対向する側に、そのガイド部４６０、４７０の長手方向全体にわたってレール部４６１、４７１が形成されている。これらレール部４６１、４７１は、請求項の保持部側ガイドに相当する。
【００４９】
レール部４６１、４７１は、第１コネクタ１００と第２コネクタ２００とが嵌合および分離する方向に沿って形成されている。前述した係合解除部材３００の突条部３３２、３３４に形成されたレール部３３２ａ、３３４ａは、このレール部４６１、４７１と係合する。よって、レール部３３２ａ、３３４ａも、第１コネクタ１００と第２コネクタ２００とが嵌合および分離する方向に沿って形成されていることになる。
【００５０】
受板部４８０は、基板部４１０の一方の長手方向辺において、ガイド部４６０、４７０の間に形成されている。この受板部４８０は、係合解除部材３００の操作部３２０と対向する。
【００５１】
基板部４１０には、係合解除部材３００と対向する面の長手方向中央に、２つの嵌合凹部、すなわち第１嵌合凹部４１１、第２嵌合凹部４１２が形成されている。これら２つの嵌合凹部４１１、４１２の配列方向は、係合解除部材３００が保持部材４００に対して相対移動する方向である。また、２つの嵌合凹部４１１、４１２は、いずれも、基板部４１０の幅方向断面における形状が二等辺三角形形状であり、係合解除部材３００に形成された嵌合突起３３３ａが嵌まる大きさである。嵌合凹部４１１、４１２の間の長さは、第１嵌合凹部４１１に係合解除部材３００の嵌合突起３３３ａが嵌っている状態において、係合解除部３１０の先端面３１１と、ロック部１５０の凸部１５１の側面１５１ｂとの距離よりも長くなっている。
【００５２】
図８、９は、係合解除部材３００と保持部材４００とが組み合わせられた状態を示している。図８に示すように、係合解除部材３００と保持部材４００は、係合解除部材３００の突条部３３２、３３３、３３４が、保持部材４００の基板部４１０側となり、かつ、係合解除部３１０が保持部材４００から基板部４１０の幅方向に突き出すようにして組み合わせられる。
【００５３】
また、図９に示すように、係合解除部材３００の突条部３３２、３３４に形成されたレール部３３２ａ、３３４ａと、保持部材４００のガイド部４６０、４７０に形成されたレール部４６１、４７１とが係合している。これにより、係合解除部材３００と保持部材４００とが組み合わせられた状態で、係合解除部材３００は、保持部材４００に対して、係合解除部材３００の長手方向に相対移動可能となる。
【００５４】
ただし、係合解除部材３００と保持部材４００とが組み合わせられた状態では、嵌合突起３３３ａの移動する直線上に第１嵌合凹部４１１、第２嵌合凹部４１２が存在する。そのため、係合解除部材３００は、嵌合突起３３３ａが第１嵌合凹部４１１に嵌まる位置、および、嵌合突起３３３ａが第２嵌合凹部４１２に嵌まる位置の２つの位置において、保持部材４００に対する相対位置を保持することができる。
【００５５】
図５には、上記係合解除部材３００の２つの位置のうち、嵌合突起３３３ａが第１嵌合凹部４１１に嵌まる位置を示している。図５に示されるように、嵌合突起３３３ａが第１嵌合凹部４１１に嵌まっている状態では、係合解除部３１０が第１コネクタ１００の凸部１５１に接触しない位置に、係合解除部材３００は位置する。
【００５６】
（コネクタ１００、２００の分離作動）
図５を用いて、本実施形態のコネクタ装置１における第１コネクタ１００と第２コネクタ２００とが分離する際の作動を説明する。
【００５７】
図５に示すように、第１コネクタ１００と第２コネクタ２００とが嵌合した状態では、ロック部１５０の側面１５１ａと、第２コネクタ２００の上面２４０の傾斜面２４３とが係合している。これにより、通常時に、第１コネクタ１００が第２コネクタ２００から抜けないようになっている。
【００５８】
また、第１コネクタ１００と第２コネクタ２００とが嵌合した状態では、第１コネクタ１００のロック部１５０と、第２コネクタ２００の上面２４０との間に、係合解除部材３００の係合解除部３１０が位置する。
【００５９】
また、係合解除部材３００の操作部３２０の先端は、保持部材４００の上面よりも突き出している。そのため、作業者は、その操作部３２０の先端を手で操作して、係合解除部３１０の先端面３１１がロック部１５０に形成された凸部１５１に向かう方向に、係合解除部材３００を容易に移動させることができる。
【００６０】
係合解除部３１０の先端面３１１がロック部１５０の凸部１５１の方向に移動していくと、係合解除部３１０の先端面３１１は凸部１５１の側面１５１ｂに当接する。それら係合解除部３１０の先端面３１１と凸部１５１の側面１５１ｂは、同一方向に傾斜している。そのため、係合解除部３１０の先端面３１１が凸部１５１の側面１５１ｂに当接した後も、係合解除部材３００がそれまでと同じ方向に移動すると、凸部１５１が、上方、すなわち、第２コネクタ２００の主上面２４２から離れる方向に移動する。また、その凸部１５１の移動により、ロック部１５０は撓んだ形状となる。
【００６１】
また、操作部３２０を操作して係合解除部材３００を第１コネクタ１００の方向に移動させていくと、係合解除部材３００の突条部３３３に形成された嵌合突起３３３ａは、第１コネクタ１００側の嵌合凹部である第２嵌合凹部４１２に嵌合する。そのため、係合解除部材３００はその位置で保持される。
【００６２】
嵌合突起３３３ａが第２嵌合凹部４１２に嵌合した状態では、係合解除部３１０の先端面３１１がロック部１５０の凸部１５１を上方に移動させている。すなわち、その凸部１５１の側面１５１ａと、第２コネクタ２００の上面２４０の傾斜面２４３との係合が解除された状態である。
【００６３】
よって、この状態で第１コネクタ１００を引き抜くことにより、容易に、第１コネクタ１００と第２コネクタ２００とを分離することができる。
【００６４】
（実施形態の効果）
以上、説明した本実施形態によれば、係合解除部材３００の操作部３２０を操作すると、係合解除部材３００の係合解除部３１０は凸部１５１の方向へ移動する。そして、係合解除部３１０の先端面３１１は、凸部１５１のロック部先端側の側面１５１ｂを押すことになる。凸部１５１のロック部先端側の側面１５１ｂは、ロック部１５０の先端側ほどロック部１５０の下面１５２に近づく傾斜面となっている。そのため、係合解除部３１０の先端面３１１が凸部１５１のロック部先端側の側面１５１ｂを押すことにより、凸部１５１は、その凸部１５１のロック部基部側の側面１５１ａが第２コネクタ２００の傾斜面２４３から離れる方向に移動させられる。よって、操作部３２０を操作することで、第１コネクタ１００の凸部１５１と第２コネクタ２００の傾斜面２４３との係合を解除することができる。
【００６５】
この操作部３２０は係合解除部３１０に対して上側（第２コネクタ２００とは反対側）に突き出していることから、作業者がこの操作部３２０を操作することは容易である。その操作部３２０を操作することで、第１コネクタ１００の凸部１５１と第２コネクタ２００の傾斜面２４３との係合を解除することができるので、容易に第１コネクタ１００を第２コネクタ２００から引き抜くことができる。すなわち、容易に一対のコネクタ１００、２００の分離作業を行うことができる。
【００６６】
また、本実施形態では、係合解除部材３００は、第１コネクタ１００と第２コネクタ２００とが嵌合および分離する方向に沿って形成されたレール部３３２ａ、３３４ａを備えている。また、保持部材４００には、第１コネクタ１００と第２コネクタ２００とが嵌合および分離する方向に沿って形成されたレール部４６１、４７１が形成されている。これらにより、係合解除部材３００は、保持部材４００に対して、第１コネクタ１００と第２コネクタ２００とが嵌合および分離する方向には相対移動可能であるが、コネクタ１００、２００の幅方向への相対移動は規制される。よって、操作部３２０を操作して、係合解除部材３００を、係合解除部３１０の先端面３１１が第１コネクタ１００の凸部１５１と当接する方向に移動させやすい。
【００６７】
また、本実施形態では、係合解除部材３００には嵌合突起３３３ａが形成され、保持部材４００には、その嵌合突起３３３ａと嵌合する第１嵌合凹部４１１が形成されている。これら嵌合突起３３３ａと第１嵌合凹部４１１とが嵌合することにより、係合解除部材３００は、係合解除部３１０が第１コネクタ１００の凸部１５１に接触しない位置に位置決めされる。これにより、第１コネクタ１００を第２コネクタ２００から引き抜く作業を行わない通常の使用時に、係合解除部材３００が自然と移動して、第１コネクタ１００の凸部１５１と第２コネクタ２００の傾斜面２４３との係合を解除してしまうことを抑制できる。
【００６８】
また、本実施形態では、保持部材４００には、第２嵌合凹部４１２も形成されている。この第２嵌合凹部４１２が嵌合突起３３３ａと嵌合した状態では、係合解除部材３００の係合解除部３１０の先端が第１コネクタ１００の凸部１５１を押し上げた位置で、係合解除部材３００の位置が保持される。よって、第１コネクタ１００を引き抜く際に、第１コネクタ１００の凸部１５１と第２コネクタ２００の傾斜面２４３とが再び係合してしまうことが抑制されるので、第１コネクタ１００を引き抜く作業がより容易になる。
【００６９】
以上、本発明の実施形態を説明したが、本発明は上述の実施形態に限定されるものではなく、次の実施形態も本発明の技術的範囲に含まれ、さらに、下記以外にも要旨を逸脱しない範囲内で種々変更して実施することができる。
【００７０】
（変形例１）
たとえば、前述の実施形態では、嵌合突起３３３ａは係合解除部材３００に形成され、この嵌合突起３３３ａと嵌合する嵌合凹部４１１、４１２が保持部材４００に形成されていた。しかし、これとは逆に、係合解除部材３００に嵌合凹部が形成され、保持部材に、その嵌合凹部と嵌合する嵌合突起が形成されてもよい。
【００７１】
（変形例２、３）
前述の実施形態では、係合解除部３１０の先端面３１１と凸部１５１の側面１５１ｂが、いずれも同一方向に傾斜する傾斜面となっていた。しかし、形状に限られず、係合解除部３１０の先端面３１１のみが傾斜面となっており、凸部１５１の側面１５１ｂは、凸部１５１の下面１５２に対して傾斜していない垂直面になっていてもよい（変形例２）。
【００７２】
反対に、凸部１５１の側面１５１ｂのみが傾斜面となっており、係合解除部３１０の先端面３１１は、凸部１５１の下面１５２に対して傾斜していない垂直面になっていてもよい（変形例３）。
【符号の説明】
【００７３】
１：コネクタ装置、      １１、１２、１３：中継ワイヤ（電気部品）、      ２０：ユニット（電気部品）、      １００：第１コネクタ、      １２０：嵌合部、      １３０、１４０：側方ガイド部、      １５０：ロック部、      １５１：凸部、      １５１ａ、１５１ｂ：側面、      ２００：第２コネクタ、      ２１０：嵌合部、      ２２０、２３０：梁部、      ２４０：上面、      ２４３：傾斜面、      ３００：係合解除部材、      ３１０：係合解除部、      ３１１：先端面、      ３２０：操作部、      ３３０：移動規制部、      ３３１：ベース板部、      ３３２、３３３、３３４：突条部、      ３３２ａ、３３４ａ：レール部、      ３３３ａ：嵌合突起、      ４００：保持部材、      ４１０：基板部、      ４１１：第１嵌合凹部、      ４１２：第２嵌合凹部、      ４６０、４７０：ガイド部、      ４６１、４７１：レール部
【図１】
2015064976.tif 000003
【図２】
2015064976.tif 000004
【図３】
2015064976.tif 000005
【図４】
2015064976.tif 000006
【図５】
2015064976.tif 000007
【図６】
2015064976.tif 000008
【図７】
2015064976.tif 000009
【図８】
2015064976.tif 000010
【図９】
2015064976.tif 000011